【手続補正書】
【提出日】平成22年9月14日(2010.9.14)
【手続補正１】
【補正対象書類名】特許請求の範囲
【補正対象項目名】全文
【補正方法】変更
【補正の内容】
【特許請求の範囲】
【請求項１】
略長方形の先端面と、前記略長方形の第１の短辺において前記先端面と交わる第１の側面と、前記略長方形の第２の短辺において前記先端面と交わる第２の側面と、前記略長方形の第１の長辺において前記先端面と交わる第３の側面と、前記略長方形の第２の長辺において前記先端面と交わる第４の側面と、前記先端面と対向する後端面と、液体が収容された液体収容室と、加圧流体が導入されることで前記液体収容室を加圧するための加圧室と、前記液体を液体噴射ヘッドに供給する液体供給口と、を備え、前記第３の側面と前記第４の側面が最大面として構成された扁平な略直方体形状の液体収容容器が、着脱自在に装着される液体消費装置の容器ホルダであって、
前記液体収容容器が、互いの前記最大面を対向させて平行に複数個並べた状態でそれぞれ装着される複数の容器装着部と、
前記液体収容容器の前記第１の側面に設けられた回路基板の電極の接点と接触して前記電極と電気的に導通する装置側端子と、
前記液体収容容器の前記第２の側面に設けられた容器側固定構造と協働して、前記液体収容容器の挿入方向と反対方向への移動を解除可能に規制する装置側固定構造と、
前記液体収容容器の前記第１乃至第４の側面のうち少なくとも２つが互いに交わる辺に対応する角部に挿入方向に沿って設けられた切欠き部の形状に対応した形状を有し、前記液体収容容器の挿入方向に沿って設けられた案内突起と、
前記容器装着部に装着された複数の前記液体収容容器のうち両外端の液体収容容器の前記最大面のうち、他の液体収容容器の前記最大面と対向しない最大面とそれぞれ対向する一対の支持側壁と、
を備えることを特徴とする容器ホルダ。
【請求項２】
前記案内突起は、前記容器の最大面を鉛直面と平行となる向きに対向させて平行に複数個並べて載置する支持台に設けられることを特徴とする請求項１に記載の容器ホルダ。
【請求項３】
前記支持台に設けた前記案内突起に対向して配置された第２の案内突起が、前記容器装着部の少なくとも着脱用開口付近に突設されることを特徴とする請求項２に記載の容器ホルダ。
【請求項４】
液体を噴射する液体噴射ヘッドと、
略長方形の先端面と、前記略長方形の第１の短辺において前記先端面と交わる第１の側面と、前記略長方形の第２の短辺において前記先端面と交わる第２の側面と、前記略長方形の第１の長辺において前記先端面と交わる第３の側面と、前記略長方形の第２の長辺において前記先端面と交わる第４の側面と、前記先端面と対向する後端面と、液体が収容された液体収容室と、加圧流体が導入されることで前記液体収容室を加圧するための加圧室と、前記液体を前記液体噴射ヘッドに供給する液体供給口と、を備え、前記第３の側面と前記第４の側面が最大面として構成された扁平な略直方体形状の複数の液体収容容器と、
前記液体収容容器に前記加圧流体を導入する加圧流体供給機構と、
前記液体収容容器から供給された前記液体を前記液体噴射ヘッドに供給する液体供給機構と、
前記液体収容容器が着脱可能に装着される請求項１乃至３の何れか１項に記載の容器ホルダと、
を備え、
前記複数の液体収容容器は、
前記第１の側面に、少なくとも１つの電極を有する回路基板を備え、前記電極の接点は前記装置側端子と電気的に導通し、
前記第２の側面に、前記装置側固定構造と協働して、前記液体収容容器の挿入方向と反対方向への移動を解除可能に規制する容器側固定構造を備え、
前記液体収容容器の前記第１乃至第４の側面のうち少なくとも２つが互いに交わる辺に対応する角部に挿入方向に沿って切欠き部を備える
ことを特徴とする液体消費装置。
【請求項５】
前記液体収容容器の前記加圧室は、一面を開放面とした箱形の袋体収容部と、前記袋体収容部の開放面を封止するシートフィルムとにより区画形成され、
前記液体収容容器の前記液体収容室は、収容された液体を外部に導出する液体導出部を有する可撓性袋体により形成されることを特徴とする請求項４に記載の液体消費装置。
【請求項６】
前記液体収容容器の前記先端面には、一対の位置決め穴が設けられ、
前記容器装着部には、前記一対の位置決め穴と嵌合可能な一対の位置決めピンが設けられ、
前記一対の位置決め穴が、前記一対の位置決めピンと嵌合することによって、前記液体収容容器の前記先端面に沿う方向の移動が規制されることを特徴とする請求項４又は５に記載の液体消費装置。
【請求項７】
前記液体収容容器の前記一対の前記位置決め穴と、前記前記回路基板と、前記容器側固定構造とが、略同一縦断面上に配置されること特徴とする請求項６に記載の液体消費装置。
【請求項８】
略長方形の先端面と、前記略長方形の第１の短辺において前記先端面と交わる第１の側面と、前記略長方形の第２の短辺において前記先端面と交わる第２の側面と、前記略長方形の第１の長辺において前記先端面と交わる第３の側面と、前記略長方形の第２の長辺において前記先端面と交わる第４の側面と、前記先端面と対向する後端面と、液体が収容された液体収容室と、加圧流体が導入されることで前記液体収容室を加圧するための加圧室と、前記液体を液体消費装置の液体噴射ヘッドに供給する液体供給口と、を備え、前記第３の側面と前記第４の側面が最大面として構成された扁平な略直方体形状の液体収容容器であって、
前記第１の側面に、少なくとも１つの電極を有する回路基板を備え、前記電極の接点は液体消費装置の端子と電気的に導通し、
前記第２の側面に、液体消費装置の固定構造と協働して、前記液体収容容器の挿入方向と反対方向への移動を解除可能に規制する容器側固定構造を備え、
前記液体収容容器の前記第１乃至第４の側面のうち少なくとも２つが互いに交わる辺に対応する角部に切欠き部を備えることを特徴とする液体収容容器。
【請求項９】
前記加圧室は、一面を開放面とした箱形の袋体収容部と、前記袋体収容部の開放面を封止するシートフィルムとにより区画形成され、
前記液体収容室は、収容された液体を外部に導出する液体導出部を有する可撓性袋体により形成されることを特徴とする請求項８に記載の液体収容容器。
【請求項１０】
前記先端面には、一対の位置決め穴が設けられ、
前記一対の位置決め穴が、液体消費装置に設けられた一対の位置決めピンと嵌合することによって、前記先端面に沿う方向の移動が規制されることを特徴とする請求項８又は９に記載の液体収容容器。
【請求項１１】
前記一対の前記位置決め穴と、前記前記回路基板と、前記容器側固定構造とが、略同一縦断面上に配置されること特徴とする請求項１０に記載の液体収容容器。
【手続補正２】
【補正対象書類名】明細書
【補正対象項目名】００１４
【補正方法】変更
【補正の内容】
【００１４】
本発明に係る上記目的の少なくとも一部は、略長方形の先端面と、前記略長方形の第１の短辺において前記先端面と交わる第１の側面と、前記略長方形の第２の短辺において前記先端面と交わる第２の側面と、前記略長方形の第１の長辺において前記先端面と交わる第３の側面と、前記略長方形の第２の長辺において前記先端面と交わる第４の側面と、前記先端面と対向する後端面と、液体が収容された液体収容室と、加圧流体が導入されることで前記液体収容室を加圧するための加圧室と、前記液体を液体噴射ヘッドに供給する液体供給口と、を備え、前記第３の側面と前記第４の側面が最大面として構成された扁平な略直方体形状の液体収容容器が、着脱自在に装着される液体消費装置の容器ホルダであって、
前記液体収容容器が、互いの前記最大面を対向させて平行に複数個並べた状態でそれぞれ装着される複数の容器装着部と、
前記液体収容容器の前記第１の側面に設けられた回路基板の電極の接点と接触して前記電極と電気的に導通する装置側端子と、
前記液体収容容器の前記第２の側面に設けられた容器側固定構造と協働して、前記液体収容容器の挿入方向と反対方向への移動を解除可能に規制する装置側固定構造と、
前記液体収容容器の前記第１乃至第４の側面のうち少なくとも２つが互いに交わる辺に対応する角部に挿入方向に沿って設けられた切欠き部の形状に対応した形状を有し、前記液体収容容器の挿入方向に沿って設けられた案内突起と、
前記容器装着部に装着された複数の前記液体収容容器のうち、両外側の液体収容容器の前記最大面のうち、他の液体収容容器の前記最大面と対向しない最大面とそれぞれ対向する一対の支持側壁と、
を備えることを特徴とする容器ホルダにより達成される。
【手続補正３】
【補正対象書類名】明細書
【補正対象項目名】００２４
【補正方法】変更
【補正の内容】
【００２４】
また、本発明に係る上記目的の少なくとも一部は、液体を噴射する液体噴射ヘッドと、
略長方形の先端面と、前記略長方形の第１の短辺において前記先端面と交わる第１の側面と、前記略長方形の第２の短辺において前記先端面と交わる第２の側面と、前記略長方形の第１の長辺において前記先端面と交わる第３の側面と、前記略長方形の第２の長辺において前記先端面と交わる第４の側面と、前記先端面と対向する後端面と、
液体が収容された液体収容室と、加圧流体が導入されることで前記液体収容室を加圧するための加圧室と、前記液体を前記液体噴射ヘッドに供給する液体供給口と、を備え、前記第３の側面と前記第４の側面が最大面として構成された扁平な略直方体形状の複数の液体収容容器と、
前記液体収容容器に前記加圧流体を導入する加圧流体供給機構と、
前記液体収容容器から供給された前記液体を前記液体噴射ヘッドに供給する液体供給機構と、
前記液体収容容器が着脱可能に装着される上記構成の容器ホルダと、
を備え、
前記複数の液体収容容器は、
前記第１の側面に、少なくとも１つの電極を有する回路基板を備え、前記電極の接点は前記装置側端子と電気的に導通し、
前記第２の側面に、前記装置側固定構造と協働して、前記液体収容容器の挿入方向と反対方向への移動を解除可能に規制する容器側固定構造を備え、
前記液体収容容器の前記第１乃至第４の側面のうち少なくとも２つが互いに交わる辺に対応する角部に挿入方向に沿って切欠き部を備える
ことを特徴とする液体消費装置により達成される。
【手続補正４】
【補正対象書類名】明細書
【補正対象項目名】００２６
【補正方法】変更
【補正の内容】
【００２６】
また、本発明に係る上記目的の少なくとも一部は、略長方形の先端面と、前記略長方形の第１の短辺において前記先端面と交わる第１の側面と、前記略長方形の第２の短辺において前記先端面と交わる第２の側面と、前記略長方形の第１の長辺において前記先端面と交わる第３の側面と、前記略長方形の第２の長辺において前記先端面と交わる第４の側面と、前記先端面と対向する後端面と、液体が収容された液体収容室と、加圧流体が導入されることで前記液体収容室を加圧するための加圧室と、前記液体を液体消費装置の液体噴射ヘッドに供給する液体供給口と、を備え、前記第３の側面と前記第４の側面が最大面として構成された扁平な略直方体形状の液体収容容器であって、
前記第１の側面に、少なくとも１つの電極を有する回路基板を備え、前記電極の接点は液体消費装置の端子と電気的に導通し、
前記第２の側面に、液体消費装置の固定構造と協働して、前記液体収容容器の挿入方向と反対方向への移動を解除可能に規制する容器側固定構造を備え、
前記液体収容容器の前記第１乃至第４の側面のうち少なくとも２つが互いに交わる辺に対応する角部に切欠き部を備える
ことを特徴とする液体収容容器により達成される。
【手続補正５】
【補正対象書類名】明細書
【補正対象項目名】００６２
【補正方法】変更
【補正の内容】
【００６２】
図９及び図１１に示すように、インクカートリッジ１００は、略長方形の先端面１１と、これと対向する後端面１２とを有している。先端面１１、後端面１２は、インクカートリッジ１００をカートリッジスロット７Ａ〜７Ｅに装着する際に、それぞれ挿入方向の先端、後端となる面である。また、図７〜図９、図１１、及び図１２に示すように、インクカートリッジ１００は、略長方形の先端面１１の第１の短辺１３ａにおいて先端面１１と交わる第１の側面１５、略長方形の先端面１１の第２の短辺１３ｂにおいて先端面１１と交わる第２の側面２５、略長方形の先端面１１の第１の長辺１４ａにおいて先端面１１と交わる第３の側面３５ａ、略長方形の先端面１１の第２の長辺１４ｂにおいて先端面１１と交わる第４の側面３５ｂを有している。